(57)【要約】【課題】袋を用いなくても持ち運びし易い軒樋吊具を提供する。【解決手段】  家屋の鼻板に取付けられる固定部１１と、固定部１１から延設される支持具１２と、軒樋吊具１を互いに連結するための連結部１５が固定部１１に設けられることを特徴とする軒樋吊具１。【選択図】図１
2013256794.tif 000002
【特許請求の範囲】
【請求項１】
家屋の鼻板に取付けられる固定部と、前記固定部から延設される支持具と、軒樋吊具を互いに連結するための連結部が前記固定部に設けられることを特徴とする軒樋吊具。
【請求項２】
前記固定部の一方側端部に凸部が設けられ、前記凸部に基端部よりも先端部側に基端部の幅よりも大きな膨大部が設けられ、前記固定部の他方側端部に凸部の形状に沿った凹溝が設けられることを特徴とする請求項１記載の軒樋吊具。
【発明の詳細な説明】
【技術分野】
【０００１】
本発明は、軒樋吊具に関するものである。
【背景技術】
【０００２】
従来から、軒樋を取付けるために、建物に固着具を用いて固定される固定部と、固定部から延設され軒樋を吊り下げる樋取付部とを備えた軒樋吊具が知られている（例えば特許文献１参照）。
【先行技術文献】
【特許文献】
【０００３】
【特許文献１】特開２００７−１００４８０号公報
【発明の概要】
【発明が解決しようとする課題】
【０００４】
ところで、特許文献１に記載されている軒樋吊具は、軒先へ軒樋吊具を複数個持ち運ぶ際、一塊にならず、持ち運びし難かった。そのため、軒樋吊具を袋に入れて運んでいた。
【０００５】
本発明は上記従来の問題点に鑑みて発明したものであって、その目的とするところは、袋を用いなくても持ち運びし易い軒樋吊具を提供することを課題とするものである。
【課題を解決するための手段】
【０００６】
上記課題を解決するために、本発明は、以下のような構成とする。
【０００７】
軒樋吊具は、家屋の鼻板に取付けられる固定部と、前記固定部から延設される支持具と、軒樋吊具を互いに連結するための連結部が前記固定部に設けられることを特徴とする。
【０００８】
また、前記固定部の一方側端部に凸部が設けられ、前記凸部に基端部よりも先端部側に基端部の幅よりも大きな膨大部が設けられ、前記固定部の他方側端部に凸部の形状に沿った凹溝が設けられることが好ましい。
【発明の効果】
【０００９】
本発明の軒樋吊具は、袋を用いなくても持ち運びし易い。
【図面の簡単な説明】
【００１０】
【図１】（ａ）は第一実施形態での軒樋吊具の斜視図であり、（ｂ）は第一実施形態での軒樋吊具の平面図である。
【図２】（ａ）は第一実施形態の軒樋吊具を二列に組み合わせたときの斜視図であり、（ｂ）は組み合わせた軒樋吊具の一部を拡大した斜視図である。
【図３】第二実施形態の凸部と凹溝の要部拡大斜視図である。
【図４】第三実施形態の凸部と凹溝の要部拡大斜視図である。
【発明を実施するための形態】
【００１１】
以下、本発明の第一実施形態について図１（ａ）に基いて説明する。
【００１２】
軒樋吊具１は軒樋を家屋に取付けるために用いられる部材である。
【００１３】
軒樋は図示しないが、屋外側に前板、屋内側に後板、前板の下端と後板の下端と連設する底板が備えられている。そして、前板の上方の先端には前板耳部が設けられ、後板の上方の先端には後板耳部が設けられている。
【００１４】
軒樋吊具１は、家屋の鼻板に取付けられる固定部１１と、固定部１１から屋外側へ延設される支持具１２と、が設けられ、支持具１２の屋外側先端には前板耳係止部１３が設けられ、支持具１２の屋内側基端には後板耳係止部１４が設けられている。また、固定部１１には軒樋吊具１を互いに連結するため後で詳述する連結部１５が設けられている。
【００１５】
図１（ａ）に矢印で示されている方向は、Ｌが左方向、Ｒが右方向、Ｕが上方向、Ｄが下方向を示し、軒樋吊具１の方向は上記のようにする。
【００１６】
固定部１１は鼻板の屋外側の面に固定されるものである。図１（ａ）に示すように、固定部１１は略矩形状で形成され、鼻板に固定するためのネジを挿通させる孔１１ａが固定部１１に設けられている。本実施形態では、固定部１１の左右側端部に夫々３つずつ、計６個孔１１ａが設けられているが、場所と個数は共にこれに限定されない。固定部１１の上部に設けられる孔１１ａは丸孔で形成されているが、下部に設けられる孔１１ａは上下方向に拡張された楕円状の長孔で形成されている。長孔は、作業者が軒樋吊具１を固定する際、軒樋吊具１を上下方向に微調整するために設けられている。
【００１７】
連結部１５は、本実施形態では凸部１５ａと凹溝１５ｂとが一対となって形成されている。連結部１５が設けられる箇所は、固定部１１の上端部と下端部、固定部１１の左側端部と右側端部、という組合せである。本実施形態では側端部に凸部１５ａと凹溝１５ｂが設けられている。
【００１８】
凸部１５ａは固定部１１の一方側の側端部に設けられる。本実施形態では、凸部１５ａは図１（ｂ）に示されるように平面視Ｌ字状をしており、先端部に膨大部１６が備えられている。本実施形態では、膨大部１６は先端部に設けられているが、基端部よりも先端部側に設けられていればよい。なお凸部１５ａの形状はこれに限定されず、後述する凹溝１５ｂと接続し外れ難い形状となっていればよい。また、本実施形態では凸部１５ａは凸条となっているが、これに限定されない。
【００１９】
凹溝１５ｂは固定部１１の他方側の側端部に設けられる。凹溝１５ｂは凸部１５ａに沿った形状で形成されている。本実施形態の凹溝１５ｂは、図１（ｂ）に示すように奥側の幅が手前側の幅よりも大きな膨大部１７が先端部に設けられている。なお、凹溝１５ｂの形状は平面視Ｔ字状や平面視Ｃ字状が考えられるが、これに限定されず、凸部１５ａと接続され外れ難い形状で形成されればよい。
【００２０】
本実施形態での凸部１５ａと凹溝１５ｂの接続の方法は、凸部１５ａの下端を凹溝１５ｂの上端から凸部１５ａと凹溝１５ｂを合わせるように挿入し、凸部１５ａの下端を凹溝１５ｂの上端から凹溝１５ｂの下端までスライドさせることにより接続される。以上の操作を繰り返すことにより、複数の軒樋吊具１が接続され、一つの塊となるので、持ち運びがし易くなる。また、凸部１５ａと凹溝１５ｂを用いて一塊にした軒樋吊具１は図２（ａ）のように組み合わされることができる。図２（ｂ）はその一部を取り出し拡大した図となっている。
【００２１】
次に、第二実施形態について図３に基づいて説明する。なお、本実施形態については図１（ａ）に示す上記第一実施形態と大部分について同じであるため、同じ構成については同符号を付して説明を省略し、主に異なる部分について説明する。
【００２２】
第二実施形態では、図３に示すように一方の固定部１１の側端部に直方体又は立方体の形状をした凸部１５ａが二箇所設けられている。また、他方の固定部１１の側端部には凸部１５ａに沿った形状をした直方体又は立方体の凹溝１５ｂが二箇所設けられている。本実施形態では、凸部１５ａの方が凹溝１５ｂよりも若干大きく形成されており、凸部１５ａが撓んで凹溝１５ｂに嵌め込まれる。
【００２３】
次に、第三実施形態について図４に基づいて説明する。なお、本実施形態については図１（ａ）に示す上記第一実施形態と図３に示す上記第二実施形態と大部分について同じであるため、同じ構成については同符号を付して説明を省略し、主に異なる部分について説明する。
【００２４】
第三実施形態では、図４に示すように一方の固定部１１の側端部の略中央に直方体又は立方体の形状をした凸部１５ａが設けられている。また、他方の固定部１１の側端部の略中央には凸部１５ａに沿った形状をした直方体又は立方体の凹溝１５ｂが設けられている。本実施形態では、凸部１５ａの方が凹溝１５ｂよりも若干大きく形成されており、凸部１５ａが撓んで凹溝１５ｂに嵌め込まれる。
【００２５】
次に、第四実施形態について説明する。なお、本実施形態については図１（ａ）に示す上記第一実施形態と図３に示す上記第二実施形態と図４に示す上記第三実施形態と大部分について同じであるため、同じ構成については同符号を付して説明を省略し、主に異なる部分について説明する。
【００２６】
第四実施形態では、固定部１１の一方側端部と他方側端部に磁石が埋め込まれ、軒樋吊具１が互いに磁力により連結される。なお、固定部１１の側端部に凸部１５ａと凹溝１５ｂが設けられ、凸部１５ａと凹溝１５ｂが磁石により形成され、磁力と嵌合により軒樋吊具１が互いに連結されるようにしてもよい。
【００２７】
以上のような構成とすることで、本実施形態の軒樋吊具１は袋を用いることなく、軒樋吊具１を組み合わせることで、軒樋吊具１を一塊にすることができ、作業者がそのまま持ち運ぶことができるようになる。また、梱包をして運搬する際にも、軒樋吊具１が組み合わさることにより、整然と並べることができるので、軒樋吊具１同士が接触し傷がつくことを防ぎ易くなる。
【符号の説明】
【００２８】
１    軒樋吊具
１１  固定部
１１ａ  孔
１２  支持具
１３  前板耳係止部
１４  後板耳係止部
１５  連結部
１５ａ  凸部
１５ｂ  凹溝
１６  膨大部
１７  膨大部
【図１】
2013256794.tif 000003
【図２】
2013256794.tif 000004
【図３】
2013256794.tif 000005
【図４】
2013256794.tif 000006